(57)【要約】【課題】ネットワークの変動伝送遅延が発生するＩＰ網やＩＰベースの無線アクセスネットワークでもクロック同期ずれの発生を回避する。【解決手段】周期的にクロックを生成するクロック生成器１１と、この生成されているクロックに関する情報を通知する同期メッセージを生成する同期メッセージ生成部１４と、同期メッセージをＩＰパケットとして各ノードに対して送信するＩＰパケット送信処理部１５と、同期メッセージを各ノードにおいて受信するＩＰパケット受信処理部１７と、同期メッセージを受信した時刻を取得する送受信時刻算出部１８と、送受信時刻算出部１８が取得した受信した時刻と、同期メッセージにより通知されたクロックに関する情報とに基づいて、クロック補正値を算出し、このクロック補正値に基づいて、ノードにおけるクロックを補正するクロック補正処理部２０とを有する。【選択図】      図２
2004186877.tif 000002
【特許請求の範囲】
【請求項１】
基地局や制御装置など複数のノードを有する無線アクセスネットワークシステムであって、
周期的にクロックを生成するクロック生成器と、
前記クロック生成器において生成されているクロックに関する情報を通知する同期メッセージを生成する同期メッセージ生成部と、
前記同期メッセージをＩＰパケットとして前記各ノードに対して送信するＩＰパケット送信処理部と、
前記同期メッセージを各ノードにおいて受信するＩＰパケット受信処理部と、
前記同期メッセージを受信した時刻を取得する送受信時刻算出部と、
前記送受信時刻算出部が取得した受信した時刻と、該同期メッセージにより通知された前記クロックに関する情報とに基づいて、クロック補正値を算出し、このクロック補正値に基づいて、ノードにおけるクロックを補正するクロック補正処理部と
を有することを特徴とする無線アクセスネットワークシステム。
【請求項２】
前記送受信時刻算出部は、前記ノード側における前記同期メッセージの受信間隔を測定し、該受信間隔が所定の閾値以上である場合に、該測定結果を無効とし、前記クロック補正値の算出処理から除外するフィルタ機能を備えることを特徴とする請求項１に記載の無線アクセスネットワークシステム。
【請求項３】
前記同期メッセージ生成部は、前記クロックに関する情報として送信時刻を前記同期メッセージに設定し、
前記各ノードにおいて、前記同期メッセージを受信する毎に、該同期メッセージに設定された送信時刻と、ノード側における受信時刻とを対応付けて蓄積する記憶手段を備えることを特徴とする請求項１又は２に記載の無線アクセスネットワークシステム。
【請求項４】
前記送受信時刻算出部は、
前記記憶手段に蓄積された複数の同期メッセージについての送信時刻及び受信時刻を取得し、連続する同期メッセージの送信時刻の差である送信間隔及び受信時刻の差である受信間隔を算出し、該送信間隔と該受信間隔との比較結果に基づいて前記クロック補正値を算出する
ことを特徴とする請求項３に記載の無線アクセスネットワークシステム。
【請求項５】
基地局や制御装置など複数のノードを有する無線アクセスネットワークにおける無線通信方法であって、
周期的にクロックを生成するステップ（１）と、
前記ステップ（１）において生成されているクロックに関する情報を通知する同期メッセージを生成するステップ（３）と、
前記同期メッセージをＩＰパケットとして前記各ノードに対して送信するステップ（４）と、
前記同期メッセージを各ノードにおいて受信するステップ（５）と、
前記同期メッセージを受信した時刻と、該同期メッセージにより通知された前記クロックに関する情報とに基づいて、クロック補正値を算出するステップ（６）と、
前記クロック補正値に基づいて、ノードにおけるクロックを補正するステップ（７）と
を有することを特徴とする無線通信方法。
【請求項６】
前記ステップ（６）では、前記ノード側における前記同期メッセージの受信間隔を測定し、該受信間隔が所定の閾値以上である場合に、該測定結果を無効とし、前記クロック補正値の算出処理から除外することを特徴とする請求項５に記載の無線通信方法。
【請求項７】
前記ステップ（３）では、前記クロックに関する情報として送信時刻を前記同期メッセージに設定し、
前記ステップ（５）では、前記同期メッセージを受信する毎に、該同期メッセージに設定された送信時刻と、ノード側における受信時刻とを対応付けて蓄積することを特徴とする請求項５又は６に記載の無線通信方法。
【請求項８】
前記ステップ（６）では、前記蓄積された複数の同期メッセージについての送信時刻及び受信時刻を取得し、連続する同期メッセージの送信時刻の差である送信間隔及び受信時刻の差である受信間隔を算出し、該送信間隔と該受信間隔との比較結果に基づいて前記クロック補正値を算出することを特徴とする請求項７に記載の無線通信方法。
【請求項９】
基地局や制御装置など複数のノードを有する無線アクセスネットワーク上に設置される同期サーバであって、
周期的にクロックを生成するクロック生成器と、
前記クロック生成器において生成されているクロックに関する情報を通知する同期メッセージを生成する同期メッセージ生成部と、
前記同期メッセージをＩＰパケットとして前記各ノードに対して送信するＩＰパケット送信処理部と
を有することを特徴とする同期サーバ。
【請求項１０】
前記同期メッセージ生成部は、前記クロックに関する情報として送信時刻を前記同期メッセージに設定することを特徴とする請求項９に記載の同期サーバ。
【請求項１１】
無線アクセスネットワークを構成する基地局や制御装置などのノードに備えられるノード装置であって、
同期サーバ上で生成されるクロックに関する情報を通知する同期メッセージを受信するＩＰパケット受信処理部と、
前記同期メッセージを受信した時刻を取得する送受信時刻算出部と、
前記送受信時刻算出部が取得した受信時刻と、該同期メッセージにより通知された前記クロックに関する情報とに基づいて、クロック補正値を算出し、このクロック補正値に基づいて、ノードにおけるクロックを補正するクロック補正処理部と
を有することを特徴とするノード装置。
【請求項１２】
前記送受信時刻算出部は、前記ノード側における前記同期メッセージの受信間隔を測定し、該受信間隔が所定の閾値以上である場合に、該測定結果を無効とし、前記クロック補正値の算出処理から除外するフィルタ機能を備えることを特徴とする請求項１１に記載のノード装置。
【請求項１３】
前記同期メッセージを受信する毎に、該同期メッセージに設定された送信時刻と、ノード側における受信時刻とを対応付けて蓄積する記憶手段を備えることを特徴とする請求項１１又は１２に記載のノード装置。
【請求項１４】
前記送受信時刻算出部は、前記記憶手段に蓄積された複数の同期メッセージについての送信時刻及び受信時刻を取得し、連続する同期メッセージの送信時刻の差である送信間隔及び受信時刻の差である受信間隔を算出し、該送信間隔と該受信間隔との比較結果に基づいて前記クロック補正値を算出することを特徴とする請求項１３に記載のノード装置。
【発明の詳細な説明】
【０００１】
【発明の属する技術分野】
本発明は、複数の内部クロックで動作する基地局や制御装置等のノードを備えた無線アクセスネットワークシステム、無線通信方法、同期サーバ及びノード装置に関する。
【０００２】
【従来の技術】
従来、ＩＰネットワークに接続される同期マスタのＩＰ端末装置から同期スレーブであるＩＰ端末に周期的に同期タイミングパケットが送信される同期スレーブのＩＰ端末では、想定される受信時刻と実際の受信時刻の差から同期状態を判定し、クロックを同期マスタのＩＰ端末装置に同期させていた（例えば特許文献１参照）。
【０００３】
詳述すると、特許文献１に記載された技術では、伝送クロックの同期機能に関し、マスタ装置として機能するＩＰ端末装置が同期タイミングパケットを一定間隔毎に、スレーブ装置として機能するＩＰ端末装置に対して送信し、同期タイミングパケットの送受信時におけるクロックカウンタ値に基づいて、クロック同期を行う。
【０００４】
【特許文献１】
特開２０００−１５１５７０号公報
【０００５】
【発明が解決しようとする課題】
しかしながら、上述した同期方式は、その適用環境として、無線基地局、無線基地局制御装置から構成されるＩＰベースの無線アクセスネットワークが含まれていなかったため、無線アクセスネットワークにおいては、無線基地局、制御装置間での同期を図ることができず、同期のずれによる送受信データの過不足が生じ、それを解消するための手段が必要となり、解消のための処理負荷が生じている。また、上記方式では、ＩＰ端末をマスタ装置として用いるものであるため、集中的な管理を継続的に行うことができず、安定した同期処理の運用が困難になる可能性があった。
【０００６】
さらに、上述した方式では同期マスタのＩＰ端末装置と同期スレーブのＩＰ端末装置間でネットワークの変動伝送遅延が発生する場合、その遅延変動の影響で同期マスタ、同期スレーブ間のクロック同期がずれてしまうという問題があった。すなわち、上述した方式では、同期メッセージを各スレーブに送信するが、通信状況や通信経路によっては、同期メッセージのスレーブへの到着が遅延し、その遅延が通信環境に因るものであるにもかかわらず、クロック同期のずれであると判断していたため、結果的に適正な同期を図ることが困難であった。
【０００７】
そこで、本発明は、以上の点に鑑みてなされたもので、ネットワークの変動伝送遅延が発生するＩＰ網やＩＰベースの無線アクセスネットワークにおいてもクロック同期を適正に行える無線アクセスネットワークシステム、無線通信方法、同期サーバ及びノード装置を提供することを目的とする。
【０００８】
【課題を解決するための手段】
上記課題を解決するために、本発明は、基地局や制御装置など複数のノードを有する無線アクセスネットワークにおいて、周期的にクロックを生成し、この生成されているクロックに関する情報を通知する同期メッセージを生成し、同期メッセージをＩＰパケットとして各ノードに対して送信し、この同期メッセージを各ノードにおいて受信し、同期メッセージを送受信した時刻と、同期メッセージにより通知されたクロックに関する情報とに基づいて、クロック補正値を算出し、このクロック補正値に基づいて、ノードにおけるクロックを補正する。
【０００９】
このような本発明によれば、無線アクセスネットワークにおいて、基地局や制御装置間で同期メッセージを通じて、クロックの同期を図ることができ、クロックのずれに因る、処理遅延や処理負荷の増大を回避することが可能となる。
【００１０】
上記発明においては、ノード側における同期メッセージの受信間隔を測定し、受信間隔が所定の閾値以上である場合に、測定結果を無効とし、クロック補正値の算出処理から除外することが好ましい。この場合には、通信環境によって同期メッセージの送受信に遅延が生じたとき、その同期メッセージに関する送受信間隔を無効とすることができ、同期メッセージの遅延がクロック補正値に悪影響を及ぼすのを回避することができる。
【００１１】
上記発明においては、クロックに関する情報として送信時刻を同期メッセージに設定し、同期メッセージを受信する毎に、同期メッセージに設定された送信時刻と、ノード側における受信時刻とを対応付けて蓄積することが好ましい。この場合には、蓄積された複数の同期メッセージに基づいて統計的なクロック補正値の算出が可能となり、安定したクロック補正が可能となる。
【００１２】
上記発明においては、蓄積された複数の同期メッセージについての送信時刻及び受信時刻を取得し、連続する同期メッセージの送信時刻の差である送信間隔及び受信時刻の差である受信間隔を算出し、送信間隔と受信間隔との比較結果に基づいてクロック補正値を算出することが好ましい。この場合には、この場合には、蓄積された複数の同期メッセージに基づいて、連続する同期メッセージ間の時間差を用いて統計的なクロック補正値の算出が可能となり、より安定したクロック補正が可能となる。
【００１３】
なお、上記発明は、無線アクセスネットワーク上に配置された、同期サーバや、各ノードに備えられたノード装置により実現することができる。この場合には、同期サーバにより、集中的な管理を継続的に行うことができ、安定した同期処理の運用が可能となる。
【００１４】
【発明の実施の形態】
以下に、本発明の実施形態に係る無線アクセスネットワークシステムについて詳細に説明する。
【００１５】
（無線アクセスネットワークシステムの構成）
図１は、本実施形態に係る無線アクセスネットワークの構成を示す説明図である。なお、本実施形態では、周期的に同期サーバ５から三つの同期メッセージを送信する場合を例に説明する。
【００１６】
図１に示すように、本実施形態に係る無線アクセスネットワークシステムは、ＩＰネットワーク１６を介して接続された基地局１〜３と、制御装置４と、同期サーバ５とを備えており、これら同期サーバ５と、基地局１〜３，制御装置４に備えられた各ノード装置との間で同期メッセージ８〜１０を送受信することによって、ネットワーク内の各ノード（制御装置４、基地局１〜３等）間のクロック同期を図る。
【００１７】
例えば、同期メッセージを受信した各ノード１〜４では、図５に示すように、同期メッセージの受信間隔β１、β２をノード内のクロックに基づき測定し、これら受信間隔の平均値β＝（β１＋β２）／２とαを比較する。そしてα＞βの場合、受信ノードのクロックが同期サーバクロックより遅れていると判断してクロックを遅れている分だけ進める。α＜βの場合には受信ノードのクロックが同期サーバ５のクロックより進んでいると判断して、クロックを進んでいる分だけ遅らせる。α＝βの場合、受信ノードと同期サーバ５間にクロックずれがないと判断する。
【００１８】
（同期サーバの構成）
上記同期サーバ５の構成について説明する。図２は、同期サーバ５の内部構成を示すブロック図である。
【００１９】
同図に示すように、同期サーバ５は、クロック生成器１１と、クロックカウンタ１２と、割り込み発生器１３と、同期メッセージ生成部１４と、ＩＰパケット送信処理部１５とを備える。
【００２０】
クロック生成器１１は、所定の周期でクロックを発信するモジュールであり、発信されたクロックは、クロックカウンタ１２に入力される。クロックカウンタ１２は、クロック生成器１１から入力されたクロック数を計数するモジュールであり、予め定められている同期メッセージ周期、１周期で送信する同期メッセージ数と同期メッセージ送信間隔に基づき、割り込み発生器１３にトリガ信号を出力する。
【００２１】
割り込み発生器１３は、クロックカウンタからのトリガ信号に基づいて、トリガ信号が入力された時のクロックカウンタ値と同期メッセージ送信指示を示す割り込みトリガ信号を同期メッセージ生成部１４に出力するモジュールである。
【００２２】
同期メッセージ生成部１４は、クロック生成器１１において生成されているクロックに関する情報を通知する同期メッセージ８〜１０を生成するモジュールであり、送信時刻として割り込みトリガに設定されていたクロックカウンタ値を同期メッセージに設定し、生成した同期メッセージ及び送信要求をＩＰパケット送信処理部１５に出力する。
【００２３】
ＩＰパケット送信処理部１５は、送信要求に基づいて同期メッセージを各ノードに送信するモジュールである。本実施形態では、この同期メッセージの宛先ＩＰアドレスは、ブロードキャストアドレスとして網内の全てのノードに向けて一括送信されるように設定されているとともに、同期メッセージをＩＰ優先度が最優先であるＩＰパケットとしてＩＰネットワーク上１６に送信する。
【００２４】
（ノード装置の構成）
次に、無線アクセスネットワーク内各ノード（基地局１〜３，制御装置４等）に備えられたノード装置の構成について説明する。図３は、ノード装置の構成を示すブロック図である。
【００２５】
同図に示すように、ノード装置は、ＩＰパケット受信処理部１７と、送受信時刻算出部１８と、クロックカウンタ１９と、クロック補正処理部２０と、クロック生成器２１と、記憶装置１８ａとを備えている。
【００２６】
ＩＰパケット受信処理部１７は、ＩＰネットワーク１６からＩＰパケットを受信するモジュールであり、受信したＩＰパケットのメッセージ種別判断を行うとともに、ＩＰパケットが同期メッセージである場合、送受信時刻算出部１８に受信した同期メッセージを出力する機能を有する。
【００２７】
送受信時刻算出部１８は、同期メッセージを受信した時点のクロックカウンタ値をクロックカウンタ１９から読み出して、同期メッセージを送受信した時刻を取得するとともに、記憶装置１８ａ上に存在する同期メッセージ情報テーブルＴ１のメッセージ受信数を参照し、受信数が所定数に達していた場合に、クロック補正処理部２０に対して起動トリガを出力するモジュールである。
【００２８】
また、送受信時刻算出部１８は、同期メッセージを受信する毎に、同期メッセージ情報テーブルＴ１上に保持されたメッセージ受信数に１を加えてテーブルの更新を行うとともに、そのメッセージ受信数と同じエントリ番号に該当する受信メッセージ情報エントリにアクセスし、情報エントリにクロックカウンタ１９から読み出したクロックカウンタ値と、受信した同期メッセージに設定されていたクロックカウンタ値を、それぞれ受信時刻、送信時刻として書き込みを行う。
【００２９】
記憶装置１８ａは、同期メッセージ情報テーブルＴ１を格納する不揮発性メモリやハードディスク等の記録装置である。同期メッセージ情報テーブルＴ１は、図４に示すように、カウントされた同期メッセージの受信数を記述する領域と、各メッセージの受信メッセージ情報エントリ＃１〜＃ｎを記述する領域を有しており、各受信メッセージ情報エントリ＃１〜＃ｎには、各メッセージに関する送信時刻及び受信時刻が記述されている。
【００３０】
クロック補正処理部２０は、送受信時刻算出部１８が取得した受信時刻と、同期メッセージにより通知された同期サーバ５側のクロックに関する情報とに基づいて、クロック補正値を算出し、このクロック補正値に基づいて、ノードにおけるクロックを補正するモジュールである。具体的に、このクロック補正処理部２０は、記憶装置１８ａの同期メッセージ情報テーブルＴ１を参照し、メッセージ受信数分の受信メッセージ情報エントリを先頭から走査し、エントリ＃１と２、＃２と３、＃ｎ−１とｎについて、送信時刻の差Ｔｘ＿ｄｉｆ、受信時刻の差Ｒｘ＿ｄｉｆを計算し、各々求めた送信時刻差Ｔｘ＿ｄｉｆの平均値α、受信時刻差Ｒｘ＿ｄｉｆの平均値βを算出する。
【００３１】
算出結果が、α＞βの場合、（（α−β）／β）／ｍだけ１クロック時間を短くするようクロック生成器２１に指示する。ここでｍは予め決められたクロックカウンタ１９の１クロックカウンタ時間に相当するクロック数である  一方、算出結果が、α＜βの場合、（（β−α）／β）／ｍだけ１クロックカウンタ時間を長くするようクロック生成器２１に指示する。算出結果が、α＝βの場合、クロック生成器２１には何ら指示しない。
【００３２】
また、クロック補正処理部２０は、Ｔｘ＿ｄｉｆとＲｘ＿ｄｉｆの差が予め定められた閾値より大きい場合、ネットワーク内の遅延変動が大きいと判断し、そのエントリ間のＴｘ＿ｄｉｆ、Ｒｘ＿ｄｉｆを無効とするフィルタ機能を備えている。
【００３３】
クロック生成器２１は、クロック補正処理部２０から指示に基づきクロック時間を変更するモジュールである。
【００３４】
（無線アクセスネットワークシステムの動作）
以上説明した構成を有する無線アクセスネットワークシステムは、以下のように動作する。図５は、同期サーバ５及び基地局１〜３・制御装置４間の同期メッセージ送信の概要を示すシーケンス図であり、図６は、同期サーバ５及び基地局１〜３・制御装置４における処理動作を示すフローチャート図である。
【００３５】
図５に示すように、先ず、同期サーバ５からある周期送信時刻Ｘに、送信時間間隔αで三つの同期メッセージ８〜１０を、ブロードキャストで無線アクセスネットワーク内の各ノード１〜４に向けて送信する。この際、同期メッセージには、その時の送信時刻と最優先の優先度を付けて送信する。無線アクセスネットワーク内のルータや各ノード１〜４ではその設定優先度に基づき、他のＩＰパケットに対し優先処理し、最優先で送信、受信処理するようにする。
【００３６】
この同期メッセージを送受信する際の、同期サーバ５における同期メッセージ送信機能処理、及び無線アクセスネットワーク内の各基地局１〜３・制御装置４における同期メッセージ受信機能処理は、以下の通りである。
【００３７】
図６に示すように、同期サーバ５では、クロック生成器１１からクロックカウンタ１２に対しクロックを発信する（Ｓ１０１）。クロックカウンタ１２では、クロック生成器１１からクロックを受けると予め定められた周期でカウンタを更新する（Ｓ１０２）。
【００３８】
クロックカウンタ１２では、カウンタが更新される毎に、予め定められている同期メッセージ周期が経過しているか否かについて判断し（Ｓ１０３）、同期メッセージ周期が経過しているようであれば（図中ステップＳ１０３における「Ｙ」）、予め定められた同期メッセージ数、及び同期メッセージ送信間隔に基づき、割り込み発生器１３にトリガを出力する（Ｓ１０４）。一方、ステップＳ１０３において、メッセージ周期が経過していないと判断した場合には、ループ処理により上記ステップＳ１０１及びＳ１０２を繰り返す。
【００３９】
割り込み発生器１３では、クロックカウンタ１２からトリガ信号が出力された時のクロックカウンタ値と同期メッセージ送信指示とを指示する割り込みトリガを同期メッセージ生成部１４に出力し、同期メッセージ生成部１４では、送信時刻として割り込みトリガに設定されていたクロックカウンタ値を設定した同期メッセージを生成する。
【００４０】
同期メッセージ生成部１４は、生成された同期メッセージを最優先でブロードキャスト送信するよう、ＩＰパケット送信処理部１５に要求する（Ｓ１０５）。ＩＰパケット送信処理部１５では、送信要求された同期メッセージを宛先ＩＰアドレスがブロードキャストアドレスでＩＰ優先度が最優先であるＩＰパケットとしてＩＰネットワーク１６に送信する（Ｓ１０６）。
【００４１】
基地局１〜３又は制御装置４では、ＩＰネットワーク１６からＩＰパケットを受信すると（Ｓ２０１）、ＩＰパケット受信処理部１７において、メッセージ種別判断を行い（Ｓ２０２）、同期メッセージである場合（図中ステップＳ２０２の「Ｙ」）、送受信時刻算出部１８に受信した同期メッセージを出力する。
【００４２】
送受信時刻算出部１８では、先ず同期メッセージが入力された時点のクロックカウンタ値をクロックカウンタ１９から読み出す（Ｓ２０３）。次いで、記憶装置１８ａ上に存在する同期メッセージ情報テーブルＴ１のメッセージ受信数を参照し、そのメッセージ受信数を１加算してデータの更新を行う（Ｓ２０４）。
【００４３】
このステップＳ２０４では、同期メッセージ情報テーブルＴ１において、メッセージ受信数と同じエントリ番号に該当する受信メッセージ情報エントリにアクセスし、クロックカウンタ１９から読み出したクロックカウンタ値と、受信した同期メッセージに設定されていたクロックカウンタ値を、それぞれ受信時刻、送信時刻として、その受信情報エントリに設定する。
【００４４】
次に、同期メッセージ情報テーブルＴ１のメッセージ受信数が予め定められた数値に達したか否かを判断する（Ｓ２０５）。受信数が所定の数値に達している場合（図中ステップＳ２０５の「Ｙ」）、クロック補正処理部２０に対して起動トリガを送信する。
【００４５】
この起動トリガを受けて、クロック補正処理部２０では、同期メッセージ情報テーブルＴ１を参照し、メッセージ受信数分の受信メッセージ情報エントリを、データの先頭から順次参照する。そして、エントリ＃１と２、＃２と３、＃ｎ−１とｎについて、送信時刻の差Ｔｘ＿ｄｉｆ、受信時刻の差Ｒｘ＿ｄｉｆを計算する（Ｓ２０６）。
【００４６】
次いで、算出結果に基づいてフィルタ処理を行い、許容範囲外のデータの削除を行う。すなわち、Ｔｘ＿ｄｉｆとＲｘ＿ｄｉｆの差が、予め定められた閾値より大きい場合、ネットワーク内の遅延変動が大きいと判断し、そのエントリ間のＴｘ＿ｄｉｆ、Ｒｘ＿ｄｉｆを無効とする。
【００４７】
そして、フィルタ処理により選出された算出結果に基づいて、各々求めた送信時刻差Ｔｘ＿ｄｉｆの平均値αと、受信時刻差Ｒｘ＿ｄｉｆの平均値βを算出し、αとβを比較する（Ｓ２０８）。
【００４８】
ステップＳ２０８において、α＞βの場合、（（α−β）／β）／ｍだけ１クロック時間を短くし、クロックを進めるようクロック生成器２１に指示する（Ｓ２１０）。一方、ステップＳ２０８において、α＜βの場合、（（β−α）／β）／ｍだけ１クロックカウンタ時間を長くし、クロックを遅らせるようクロック生成器２１に指示する（Ｓ２０９）。α＝βの場合、クロック生成器２１には何ら指示はしない。クロック生成器２１ではクロック補正処理部２０から指示に基づきクロック時間を変更する。
【００４９】
（作用・効果）
以上説明した本実施形態に係る無線アクセスネットワークシステム及び無線通信方法によれば、無線アクセスネットワークにおいて、基地局１〜３や制御装置４間で同期メッセージを通じて、クロックの同期を図ることができ、クロックのずれに因る、処理遅延や処理負荷の増大を回避することが可能となる。
【００５０】
特に、本実施形態では、送受信時刻算出部１８によるフィルタ処理により、通信環境によって遅延が生じた同期メッセージの送受信に関する送受信間隔を無効とすることができ、同期メッセージの遅延がクロック補正値に悪影響を及ぼすのを回避することができる。また、本実施形態では、記憶装置１８ａに、複数の同期メッセージに関する情報を蓄積し、連続する同期メッセージの送受信時刻差を用いてクロック補正値を算出するため、蓄積された情報に基づいて統計的なクロック補正値の算出が可能となり、安定したクロック補正が可能となる。
【００５１】
また、本実施形態では、無線アクセスネットワーク上に配置された、同期サーバ５により同期処理を行うため、集中的な管理を継続的に行うことができ、安定した同期処理の運用が可能となる。
【００５２】
【発明の効果】
以上説明したように、本発明によれば、ネットワークの変動遅延が発生するＩＰ網やＩＰベースの無線アクセスネットワークにおいて、クロック同期ずれによる処理遅延、処理負荷の増大を回避することができる。
【図面の簡単な説明】
【図１】実施形態に係る無線アクセスネットワークのネットワーク構成例を示す説明図である。
【図２】実施形態に係る同期サーバの同期メッセージ送信機能の機能構成を示すブロック図である。
【図３】実施形態に係る無線アクセスネットワーク内ノードの同期メッセージ受信機能の機能構成を示すブロック図である。
【図４】実施形態に係る同期メッセージのデータ構成を示す説明図である。
【図５】実施形態に係る同期サーバと無線アクセスネットワーク内ノードの制御装置、基地局との間のクロック同期制御手順例を示すシーケンス図である。
【図６】実施形態に係る同期サーバと無線アクセスネットワーク内ノードの制御装置、基地局の動作を示すフローチャート図である。
【符号の説明】
Ｔ１…同期メッセージ情報テーブル
１〜３…基地局
１〜４…ノード
４…制御装置
５…同期サーバ
１１…クロック生成器
１２…クロックカウンタ
１３…割り込み発生器
１４…同期メッセージ生成部
１５…ＩＰパケット送信処理部
１６…ＩＰネットワーク
１７…ＩＰパケット受信処理部
１８…送受信時刻算出部
１８ａ…記憶装置
１９…クロックカウンタ
２０…クロック補正処理部
２１…クロック生成器
【図１】
2004186877.tif 000003
【図２】
2004186877.tif 000004
【図３】
2004186877.tif 000005
【図４】
2004186877.tif 000006
【図５】
2004186877.tif 000007
【図６】
2004186877.tif 000008